(57)【要約】      （修正有）【課題】中間部材と固定部材との間の後方から異物が入り込んでしまう状態となってしまうことを防止することができるヒンジを提供する。【解決手段】ヒンジは、複合機１の本体２に原稿圧着板３を回動可能に連結する。中間部材２０に対して上部固定部材３０が開いた状態であるリフト状態において、異物挟み防止部９０は、上部固定部材３０における第二回動軸が配置される側と反対側の端部の外側から中間部材２０における第二回動軸が配置される側と反対側の端部の外側に亘って配置される遮蔽部材９１を備え、遮蔽部材９１は、リフト状態において、上部固定部材３０における第二回動軸が配置される側と反対側の端部の外側から中間部材２０における第二回動軸が配置される側と反対側の端部の外側に亘って配置された状態が保持されるように構成される。【選択図】図４
0003232257.tif 000002
【実用新案登録請求の範囲】
【請求項１】
第一連結対象物に固定される第一ウイング部材と、
前記第一ウイング部材に設けられるカム部材と、
第二連結対象物に固定されるとともに前記第一ウイング部材に第一回動軸を介して回動可能に連結され、前記第一ウイング部材に対して全開状態と閉状態との間で遷移する第二ウイング部材と、
前記カム部材に当接するカム当接部を備え、前記第二ウイング部材に収容されつつ前記カム部材に接近する方向および前記カム部材から離間する方向に移動可能なスライド部材と、
前記スライド部材を前記カム部材に接近する方向に付勢することにより前記スライド部材のカム当接部を前記カム部材に当接させて前記第二ウイング部材を前記第一ウイング部材に対して開く方向に回動するように付勢するバネ部材と、
を具備し、
前記第二ウイング部材は、前記第一ウイング部材に前記第一回動軸を介して回動可能に連結される中間部材と、前記第二連結対象物に固定されるとともに前記中間部材に第二回動軸を介して回動可能に連結される固定部材と、を備え、
前記中間部材に対して前記固定部材が開いた状態であるリフト状態において、前記中間部材及び前記固定部材の外側から、前記中間部材と前記固定部材との間に異物が入り込んで挟まることを防止する異物挟み防止部をさらに備え、
前記異物挟み防止部は、前記リフト状態において、前記固定部材における前記第二回動軸が配置される側と反対側の端部の外側から前記中間部材における前記第二回動軸が配置される側と反対側の端部の外側に亘って配置される、遮蔽部材を備え、
前記遮蔽部材は、前記リフト状態において、前記固定部材における前記第二回動軸が配置される側と反対側の端部の外側から前記中間部材における前記第二回動軸が配置される側と反対側の端部の外側に亘って配置された状態が保持されるように構成される、
ヒンジ。
【請求項２】
前記遮蔽部材は、板状の部材で構成される、
請求項１に記載のヒンジ。
【請求項３】
前記遮蔽部材は、前記遮蔽部材の一端部が前記固定部材に支持されて、前記固定部材に対して回動可能に構成され、
前記遮蔽部材は、留め部を備え、前記第二ウイング部材の閉状態、前記第二ウイング部材の開状態、また、前記リフト状態において、前記留め部が前記第一ウイング部材に引っ掛かるようにして前記固定部材における前記第二回動軸が配置される側と反対側の端部の外側から前記中間部材における前記第二回動軸が配置される側と反対側の端部の外側に亘って配置された状態が保持される、
請求項１または請求項２に記載のヒンジ。
【請求項４】
前記遮蔽部材の前記留め部は、前記遮蔽部材の内側の面から突出し、当該突出側端部が左右方向外側に突出して構成されて、前記突出側端部の外側に突出する部分において、前記第一ウイング部材に引っ掛かるように構成される、
請求項３に記載のヒンジ。
【請求項５】
前記遮蔽部材の前記留め部は、前記遮蔽部材の左右から突出しないように構成される、
請求項３または請求項４に記載のヒンジ。
【請求項６】
前記第一ウイング部材は、側板と、突出部と、を備え、
前記第一ウイング部材の前記側板は、前記第一ウイング部材における左右それぞれの側部を成す板状の部材であり前記第一回動軸を挿通する貫通孔が開口され、
前記第一ウイング部材の前記突出部は、前記遮蔽部材の前記留め部が引っ掛かるように構成されるものであり、前記側板に連接され、前記第一ウイング部材の下端部近傍から前記第一回動軸の上方に亘って配置される、
請求項３から請求項５のいずれか一項に記載のヒンジ。
【請求項７】
前記第一ウイング部材の前記突出部は、その上端部に左右方向内側に突出するように構成されるストッパを備え、
前記ストッパは、前記中間部材に対して前記固定部材が開く方向に開度して前記リフト状態とされるときに前記遮蔽部材の前記留め部が当接して、前記遮蔽部材の前記留め部が前記第一ウイング部材の前記突出部に引っ掛かった状態から脱落することを防止する、
請求項６に記載のヒンジ。
【請求項８】
前記遮蔽部材の上端位置は、前記第二ウイング部材の閉状態、前記第二ウイング部材の開状態、また、前記リフト状態において、前記遮蔽部材が前記固定部材に対して回動する際の回動軸心よりも上方に位置するように構成される、
請求項１から請求項７のいずれか一項に記載のヒンジ。
【請求項９】
前記遮蔽部材は、前記第二ウイング部材の開状態、また、前記リフト状態において、前記遮蔽部材の上部が前記中間部材が配置される側と反対方向に傾斜するように構成される、
請求項１から請求項８のいずれか一項に記載のヒンジ。
【請求項１０】
前記遮蔽部材は、その内側の面の少なくとも一部において縁部において凸条部を備える、
請求項１から請求項９のいずれか一項に記載のヒンジ。
【請求項１１】
前記遮蔽部材は、前記第一ウイング部材の左右幅よりも大きく構成され、下方に行くに従って末広がりとなるように構成される、
請求項１から請求項１０のいずれか一項に記載のヒンジ。
【請求項１２】
請求項１から請求項１１のいずれか一項に記載のヒンジを備えた電子機器。 
【考案の詳細な説明】
【技術分野】
【０００１】
本考案は、第一連結対象物に第二連結対象物を開閉可能に連結するヒンジ及び当該ヒンジを備えた電子機器に関する。
【背景技術】
【０００２】
従来、複写機、ファクシミリ、スキャナー等、オフィスで使用される事務機器の多くは、その本体の上面に原稿読み取り部（コンタクトガラス）を具備するとともに、当該原稿読み取り部を覆う原稿圧着板を具備する。原稿圧着板は、原稿読み取り部に載置された原稿を原稿読み取り部に密着させるとともに原稿読み取り部に対する原稿の位置を保持するものである。
【０００３】
事務機器の本体と原稿圧着板とを連結する器具としては、第一ウイング部材と、第一ウイング部材に固定されるカム部材と、第一ウイング部材に回動軸を介して回動可能に連結される第二ウイング部材と、カム部材に接近する方向およびカム部材から離間する方向に移動可能なスライド部材と、スライド部材をカム部材に接近する方向に付勢することによりスライド部材をカム部材に当接させる付勢部材と、を具備するヒンジが知られている。
【０００４】
また、ヒンジを備える事務機器においては、第一ウイング部材と第一ウイング部材との後方から、例えば工具や衣服や手指等の異物が入り込んで挟まることを防止する異物挟み防止部を備えるものがある（特許文献１参照）。
さらに、ヒンジには、第二ウイング部材が、原稿圧着板に固定される固定部材と、第一ウイング部材と固定部材とを連結する中間部材とを備えるものがある。前記ヒンジでは、中間部材に対して固定部材が開いた状態（リフト状態）として、複合機の本体に対して原稿圧着板を持ち上げた状態にして、本体（コンタクトガラス）と原稿圧着板との間に比較的分厚い原稿を配置したり、また、メンテナンスや点検等を行い易くする。このようなヒンジにおいても、中間部材と固定部材とが開いた状態（リフト状態）において、中間部材と固定部材との間の後方から、例えば工具や衣服や手指等の異物が入り込んで挟まることを防止する異物挟み防止部を備えるものがある（特許文献２参照）。
【先行技術文献】
【特許文献】
【０００５】
【特許文献１】特開２００２−１３１９９０号公報
【特許文献２】特開２００５−９１７９４号公報
【考案の概要】
【考案が解決しようとする課題】
【０００６】
しかしながら、前記ヒンジでは、異物挟み防止部は、例えば連結対象物や上方のウイング部材等に設けれられて、垂れ下がるように構成される。
このため、前記ヒンジでは、前記リフト状態において、異物挟み防止部を捲り上げたりまた上方に回動させたり等することで、容易に、中間部材と固定部材との間の後方から異物が入り込んでしまう状態となってしまう虞があった。
【０００７】
本考案は以上の如き状況に鑑みてなされたものであり、中間部材と固定部材との間の後方から異物が入り込んでしまう状態となってしまうことを防止するヒンジを提供することを課題とする。
【課題を解決するための手段】
【０００８】
本考案の解決しようとする課題は以上の如くであり、次にこの課題を解決するための手段を説明する。
【０００９】
即ち、請求項１においては、第一連結対象物に固定される第一ウイング部材と、前記第一ウイング部材に設けられるカム部材と、第二連結対象物に固定されるとともに前記第一ウイング部材に第一回動軸を介して回動可能に連結され、前記第一ウイング部材に対して全開状態と閉状態との間で遷移する第二ウイング部材と、前記カム部材に当接するカム当接部を備え、前記第二ウイング部材に収容されつつ前記カム部材に接近する方向および前記カム部材から離間する方向に移動可能なスライド部材と、前記スライド部材を前記カム部材に接近する方向に付勢することにより前記スライド部材のカム当接部を前記カム部材に当接させて前記第二ウイング部材を前記第一ウイング部材に対して開く方向に回動するように付勢するバネ部材と、を具備し、前記第二ウイング部材は、前記第一ウイング部材に前記第一回動軸を介して回動可能に連結される中間部材と、前記第二連結対象物に固定されるとともに前記中間部材に第二回動軸を介して回動可能に連結される固定部材と、を備え、前記中間部材に対して前記固定部材が開いた状態であるリフト状態において、前記中間部材及び前記固定部材の外側から、前記中間部材と前記固定部材との間に異物が入り込んで挟まることを防止する異物挟み防止部をさらに備え、前記異物挟み防止部は、前記リフト状態において、前記固定部材における前記第二回動軸が配置される側と反対側の端部の外側から前記中間部材における前記第二回動軸が配置される側と反対側の端部の外側に亘って配置される、遮蔽部材を備え、前記遮蔽部材は、前記リフト状態において、前記固定部材における前記第二回動軸が配置される側と反対側の端部の外側から前記中間部材における前記第二回動軸が配置される側と反対側の端部の外側に亘って配置された状態が保持されるように構成されるものである。
【００１０】
請求項２においては、前記遮蔽部材は、板状の部材で構成されるものである。
【００１１】
請求項３においては、前記遮蔽部材は、前記遮蔽部材の一端部が前記固定部材に支持されて、前記固定部材に対して回動可能に構成され、前記遮蔽部材は、留め部を備え、前記第二ウイング部材の閉状態、前記第二ウイング部材の開状態、また、前記リフト状態において、前記留め部が前記第一ウイング部材に引っ掛かるようにして前記固定部材における前記第二回動軸が配置される側と反対側の端部の外側から前記中間部材における前記第二回動軸が配置される側と反対側の端部の外側に亘って配置された状態が保持されるものである。
【００１２】
請求項４においては、前記遮蔽部材の前記留め部は、前記遮蔽部材の内側の面から突出し、当該突出側端部が左右方向外側に突出して構成されて、前記突出側端部の外側に突出する部分において、前記第一ウイング部材に引っ掛かるように構成されるものである。
【００１３】
請求項５においては、前記遮蔽部材の前記留め部は、前記遮蔽部材の左右から突出しないように構成されるものである。
【００１４】
請求項６においては、前記第一ウイング部材は、側板と、突出部と、を備え、前記第一ウイング部材の前記側板は、前記第一ウイング部材における左右それぞれの側部を成す板状の部材であり前記第一回動軸を挿通する貫通孔が開口され、前記第一ウイング部材の前記突出部は、前記遮蔽部材の前記留め部が引っ掛かるように構成されるものであり、前記側板に連接され、前記第一ウイング部材の下端部近傍から前記第一回動軸の上方に亘って配置されるものである。
【００１５】
請求項７においては、前記第一ウイング部材の前記突出部は、その上端部に左右方向内側に突出するように構成されるストッパを備え、前記ストッパは、前記中間部材に対して前記固定部材が開く方向に開度して前記リフト状態とされるときに前記遮蔽部材の前記留め部が当接して、前記遮蔽部材の前記留め部が前記第一ウイング部材の前記突出部に引っ掛かった状態から脱落することを防止するものである。
【００１６】
請求項８においては、前記遮蔽部材の上端位置は、前記第二ウイング部材の閉状態、前記第二ウイング部材の開状態、また、前記リフト状態において、前記遮蔽部材が前記固定部材に対して回動する際の回動軸心よりも上方に位置するように構成されるものである。
【００１７】
請求項９においては、前記遮蔽部材は、前記第二ウイング部材の開状態、また、前記リフト状態において、前記遮蔽部材の上部が前記中間部材が配置される側と反対方向に傾斜するように構成されるものである。
【００１８】
請求項１０においては、前記遮蔽部材は、その内側の面の少なくとも一部において縁部において凸条部を備えるものである。
【００１９】
請求項１１においては、前記遮蔽部材は、前記第一ウイング部材の左右幅よりも大きく構成され、下方に行くに従って末広がりとなるように構成されるものである。
【００２０】
請求項１２においては、請求項１から請求項１１のいずれか一項に記載のヒンジを備えた電子機器とするものである。
【考案の効果】
【００２１】
本考案の効果として、以下に示すような効果を奏する。
即ち、本考案によれば、中間部材と固定部材との間の後方から異物が入り込んでしまう状態となってしまうことを防止することができる。
【図面の簡単な説明】
【００２２】
【図１】本考案の実施形態に係るヒンジを具備する複合機を示す右側面図。
【図２】同じく閉じ状態のヒンジを具備する複合機を示す拡大背面図。
【図３】同じくリフト状態のヒンジを具備する複合機を示す拡大背面図。
【図４】同じくリフト状態のヒンジを具備する複合機の内部構造を示す拡大側面図。
【図５】同じく閉じ状態のヒンジを示す側面図。
【図６】同じく閉じ状態のヒンジを示す斜視図。
【図７】同じく開状態のヒンジを示す側面図。
【図８】同じく開状態のヒンジを示す斜視図。
【図９】同じくリフト状態のヒンジを示す側面図。
【図１０】同じくリフト状態のヒンジを示す背面図。
【図１１】同じくリフト状態のヒンジを示す斜視図。
【図１２】同じく閉じ状態のヒンジを示す側面断面図。
【図１３】同じく開状態のヒンジを示す側面断面図。
【図１４】同じくリフト状態のヒンジを示す側面断面図。
【図１５】同じくヒンジの第一スライダを示す斜視図。
【図１６】同じくヒンジの仕切部材と付勢部材とを示す斜視図。
【図１７】同じくヒンジの仕切部材と付勢部材とを示す斜視図。
【考案を実施するための形態】
【００２３】
以下では図１を用いて事務機器の実施の一形態である複合機１について説明する。
複合機１は本体２および原稿圧着板３を具備する。本実施形態において、複合機１は、本考案の第一実施形態に係るヒンジ１００または本体２に対して原稿圧着板３を開閉可能とする開閉装置（以下「開閉装置」と称する）を具備する構成とするが、複合機１または開閉装置が後述する他の実施形態に係るヒンジまたは開閉装置を具備する構成とすることも可能である。
【００２４】
本体２は本考案に係る第一連結対象物の実施の一形態である。
本体２は原稿読み取り装置、制御装置、印刷装置、表示装置および入力装置を具備する。
原稿読み取り装置は本体２の上面に配置される。原稿読み取り装置は本体２の上面に載置された原稿を読み取る（原稿の画像情報を生成する）。
制御装置は複合機１の各部の動作、より詳細には原稿読み取り装置、後述する印刷装置および後述するＡＤＦの動作を制御する。
また、制御装置は原稿読み取り装置が生成した画像情報および本体２に接続された回線（インターネット回線等）を通じて取得した画像情報を記憶することが可能である。
印刷装置は原稿読み取り装置の下方に配置される。印刷装置は制御装置が記憶した画像情報に基づいて所定の用紙に画像を印刷する。
表示装置は例えば液晶パネルからなり、複合機１の動作状況等に係る情報を表示する。
入力装置は例えばボタン、スイッチ等からなり、作業者が複合機１に対する指示等を入力する際に操作する。表示装置および入力装置は本体２の上面前部に配置される。
【００２５】
原稿圧着板３は本考案に係る第二連結対象物の実施の一形態である。
原稿圧着板３は原稿読み取り装置の上に載置された原稿を原稿読み取り装置に向かって押さえつける（圧着する）ことにより、原稿読み取り装置が原稿を読み取る際に原稿が動く（原稿読み取り装置との相対的な位置が変化する）ことを防止する。
原稿圧着板３は読取前原稿収容トレイ、ＡＤＦ（Ａｕｔｏ  Ｄｏｃｕｍｅｎｔ  Ｆｅｅｄｅｒ）および読取後原稿収容トレイを具備する。
ＡＤＦは読取前原稿収容トレイに積層状態で収容された複数枚の原稿を一枚ずつ順に取り出して原稿読み取り装置の上の所定の読取位置に載置する。原稿読み取り装置による原稿の読み取りが終了した後、ＡＤＦは読取位置に載置された原稿を読取後原稿収容トレイに搬送する。
【００２６】
「事務機器」は、少なくとも原稿を読み取る（原稿の画像情報を取得する）機能を具備する装置を指す。
事務機器の具体例としては、（ａ）原稿を読み取る機能および読み取った原稿に係る画像情報を他の機器（例えば、パーソナルコンピュータ）に送信する機能を具備するスキャナー、（ｂ）原稿を読み取る機能、読み取った原稿に係る画像情報を通信回線を介して他の機器に送信する機能および他の機器から取得した画像情報をプリントアウトする機能を具備するファクス、（ｃ）原稿を読み取る機能および読み取った原稿に係る画像情報をプリントアウトする機能を具備するコピー機、（ｄ）上記スキャナー、ファクス、およびコピー機としての機能を兼ねる複合機、等が挙げられる。
【００２７】
以下で詳述する実施形態に係るヒンジはいずれも複合機１の本体２に原稿圧着板３を開閉可能（回動可能）に連結する用途に用いられるが、本考案に係るヒンジの用途はこれに限定されない。
すなわち、本考案に係るヒンジは、「二つの部材のうちの一方の部材（第一連結対象物）に他方の部材（第二連結対象物）を開閉可能に連結する用途」に広く適用可能であり、例えば、スキャナー、ファクス、およびコピー機、若しくは複合機等のＯＡ機器、自動車、便座、または、炊飯器等の各種電子機器等に用いられる。ヒンジが二つの部材のうちの一方の部材に他方の部材を開閉可能に連結するものとして、例えば、プリンタの本体に回動可能に連結される扉部分、複合機の本体に回動可能に連結される原稿圧着装置、スタンドに回動可能に連結されるディスプレイ、便座に回動可能に連結される便座、自動車の車体に回動可能に連結されるボンネット等がある。
【００２８】
以下の説明では、原稿圧着板３が閉じているとき（原稿圧着板３の下面が本体２の上面に当接しているとき）の原稿圧着板３の回動角度θ（より厳密には、本体２に対する原稿圧着板３の回動角度θ）を「０°」とし、原稿圧着板３が開く方向に回動した場合に回動角度θが増加する（回動角度θが正になる）ように原稿圧着板３の回動角度θを定義する（図１参照）。本実施形態において、本体２に対する原稿圧着板３の回動角度θは、後述する第二ウイング部材の第一ウイング部材に対する閉状態からの回動角度とも一致する。このため、本実施形態では双方とも「回動角度θ」と記載する。
【００２９】
以下では、図１から図１７を用いて本考案に係るヒンジの一実施形態であるヒンジ１００について説明する。なお、開閉装置は、本体２に対して原稿圧着板３を開閉可能とする装置としてヒンジ１００を用いて構成したものを示す。
図１から図４に示すように、ヒンジ１００は複合機１の本体２に原稿圧着板３を回動可能に連結する。ヒンジ１００は、複合機１の本体２の後部及び原稿圧着板３の後部に配置される。
図２から図１４に示すように、ヒンジ１００は、下部固定部材１０、中間部材２０、第一回動軸７１、上部固定部材３０、第二回動軸７２、受圧部７３、第一スライダ４０、第二スライダ５０、一対のバネ部材６０、ダンパー６２、カム部材７５、及びフェンス部材７６を具備する。
以下では便宜上、原稿圧着板３が本体２に対して閉じているとき（回動角度θ＝０°のとき）の複合機１の上下方向、前後方向および左右方向を基準として（原稿圧着板３が本体２に対して閉じているときの複合機１の上下方向、前後方向および左右方向をそれぞれヒンジ１００の上下方向、前後方向および左右方向に対応させて）ヒンジ１００を構成する各部材の形状を説明する。
【００３０】
下部固定部材１０は本考案に係る第一ウイング部材の実施の一形態である。下部固定部材１０は複合機１の本体２に固定される。
下部固定部材１０は、一枚の金属板を適宜折り曲げることにより成形される。下部固定部材１０は底板１１、左右の側板１２・１２、および背板１３を具備する。
【００３１】
下部固定部材１０の底板１１は下部固定部材１０の下部を成す板状の部材である。底板１１の形状は平面視で前後方向にやや長い概ね長方形である。
下部固定部材１０の側板１２は下部固定部材１０における左右それぞれの側部を成す板状の部材である。側板１２は側面視で概ね前下がりの階段の如き形状を有する。側板１２の下端部は底板１１の端部に繋がっている（一枚の金属板を直角に折り曲げることにより、底板１１および側板１２・１２が形成される）。側板１２の後上端部には、第一回動軸７１を挿通するための貫通孔が開口される。側板１２の前上端部には、カム部材７５を挿通するための貫通孔が開口される。
下部固定部材１０の背板１３は下部固定部材１０の後部を成す板状の部材である。背板１３は前後一対の板面を有する。背板１３の形状は正面視で左右方向にやや長い概ね長方形である。
背板１３の下端部は底板１１の後端部に繋がっている（一枚の金属板を直角に折り曲げることにより、底板１１および背板１３が形成される）。
【００３２】
中間部材２０は、一枚の金属板を適宜折り曲げることにより、天板２１及び左右の側板２２・２２で形成される部材である。中間部材２０は、天板２１が側板２２・２２の上部に配置され、天板２１の左右両側から側板２２・２２が下方に折り曲げられるようにして、正面視略コ字状に構成される。中間部材２０は、側板２２・２２の下端部が左右中央側に延出するようにそれぞれ折り曲げられるようにして、下方側の左右中央部が開口する箱状に構成される。中間部材２０は後述する如く第一スライダ４０、第二スライダ５０、バネ部材６０、ダンパー６２等を収容した状態で、第一回動軸７１を介して下部固定部材１０に回動可能に支持される。側板２２・２２の後部には、第一回動軸７１を挿通するための貫通孔が左右方向に開口されている。
【００３３】
第一回動軸７１は、概ね円柱形状（ピン状）の部材である。
第一回動軸７１は、中間部材２０の側板２２・２２の貫通孔及び下部固定部材１０の側板１２の貫通孔に挿通される。中間部材２０は第一回動軸７１を介して下部固定部材１０に回動可能に連結される。
【００３４】
上部固定部材３０は本考案に係る固定部材の実施の一形態であり、一枚の金属板を適宜折り曲げることにより、天板３１及び左右の側板３２・３２で形成される略筒状の部材である。上部固定部材３０は、天板３１が側板３２・３２の上部に配置され、天板３１の左右両側から側板３２・３２が下方に折り曲げられるようにして、正面視略コ字状に構成される。上部固定部材３０は後述する如く第二回動軸７２を介して中間部材２０に回動可能に支持される。上部固定部材３０は原稿圧着板３に固定される。
また、側板３２・３２には受圧部７３を取付けるための貫通孔が形成される。
【００３５】
第二回動軸７２は、上部固定部材３０を中間部材２０に回動可能に連結する回動軸を成す部材である。第二回動軸７２は概ね円柱形状の部材であり、上部固定部材３０及び中間部材２０の前部に挿通される。その結果、上部固定部材３０は第二回動軸７２を介して中間部材２０に回動可能に連結される。
【００３６】
受圧部７３は、ピン状に構成される。受圧部７３は、側板３２・３２の貫通孔に挿通されて上部固定部材３０に固定される。受圧部７３のスライダ側（第二スライダ５０側）の面は、カム面として構成され、第二スライダ５０のカム当接部５２と当接する。
なお、受圧部７３は、ピン状のものに限定されるものではなく、板状の部材を折り曲げて構成すること等、他の構成とすることもできる。
【００３７】
第一スライダ４０は本考案に係るスライド部材の実施の一形態である。第一スライダ４０は樹脂材料からなる。
第一スライダ４０は、有底に構成される本体４１と、本体４１の底部後面から後方（本体４１の外側）に突出するカム当接部４２とを備える。また、第一スライダ４０は、カム当接部４２の後面において、カム部材７５に当接するように構成される。第一スライダ４０（本体４１）にはバネ部材６０の後端部を収容するバネ受け穴が形成されている。第一スライダ４０は中間部材２０の内部における後部で前後方向に摺動可能に収容される。
【００３８】
第二スライダ５０は本考案に係るスライド部材の実施の一形態である。第二スライダ５０は樹脂材料からなる。
第二スライダ５０は後方が開口し前面に底部を備える。第二スライダ５０は、底部前面にカム当接部５２を備える。第二スライダ５０にはバネ部材６０の前端部を収容するバネ受け穴が形成されている。
【００３９】
本実施形態では、「中間部材２０、上部固定部材３０、第一スライダ４０、第二スライダ５０、第二回動軸７２および受圧部７３を合わせたもの」が本考案に係る第二ウイング部材の実施の一形態に相当する。言い換えれば、本考案に係る第二ウイング部材の実施の一形態は、中間部材２０、上部固定部材３０、第一スライダ４０、第二スライダ５０、第二回動軸７２および受圧部７３を具備する。そして、上部固定部材３０が原稿圧着板３に固定されることにより、第二ウイング部材は第二連結対象物に固定される。
【００４０】
第二ウイング部材は、第一ウイング部材に対して全開状態と閉状態との間で遷移する。第二ウイング部材第二ウイング部材が第一ウイング部材に最も近接した状態を第二ウイング部材の「閉状態」（原稿圧着板３が本体２に対して閉じている状態）とする（図５または図６参照）。閉状態とは、第二ウイング部材の第一ウイング部材に対する閉状態からの回動角度θが０°となる状態を指す。また、第二ウイング部材が第一ウイング部材から最も離間した状態を第二ウイング部材の「全開状態」とする。全開状態とは、原稿圧着板３が本体２に対して開いている状態であり、回動角度θが９０°となる状態を指す。また、閉状態と全開状態との間における第二ウイング部材の状態を、第二ウイング部材の「開状態」とする（図７または図８参照）。開状態とは、原稿圧着板３が本体２に対して開いている状態であり、回動角度θが０°＜θ＜９０°の関係を満たす状態を指す。
なお、第二ウイング部材の閉状態を回動角度θが０°であることに限定されず、第二ウイング部材の全開状態を回動角度θが９０°であることに限定されず、第二ウイング部材の閉状態の回動角度θまたは第二ウイング部材の全開状態の回動角度θについては、仕様や用途等に応じて他の角度に適宜設定することもできる。
【００４１】
バネ部材６０は、付勢部材の実施の一形態であり、金属製の巻きバネ（圧縮バネ）で構成される。一対のバネ部材６０は、中間部材２０の内部（第一スライダ４０と第二スライダ５０とのバネ受け孔）に左右に並べて収容される。
【００４２】
バネ部材６０の後端部は第一スライダ４０に形成されたバネ受け穴に挿入されてバネ受け穴の底面に当接する。また、バネ部材６０の前端部は第二スライダ５０に形成されたバネ受け穴に挿入されてバネ受け穴の底面に当接する。
【００４３】
バネ部材６０が発生する付勢力、すなわち、圧縮される方向に弾性変形したバネ部材６０が元の形状（外力が作用していないときの形状）に戻ろうとする力（弾性力）により、第一スライダ４０は中間部材２０の長手方向のうち第一回動軸７１に接近する方向に付勢され、第二スライダ５０は中間部材２０の長手方向のうち受圧部７３に接近する方向に付勢される。
【００４４】
ダンパー６２は、第一スライダ４０及び第二スライダ５０のバネ受け穴に収容されている。ダンパー６２の本体部は、第二スライダ５０の底部に固定され、その先端部が第一回動軸７１側に突出する。ダンパー６２は、第一スライダ４０の底部によって先端部が押圧力を受けたときに反力を発生させる。このため、当該反力により第一スライダ４０が移動する速度が小さくなり、ダンパー６２による緩衝効果が発生する。ダンパー６２は一般的な流体ダンパーで構成される。
【００４５】
カム部材７５は樹脂材料からなり、ピン状に構成される。カム部材７５は、側板１２・１２の貫通孔に挿通されて第一回動軸７１よりも前方において下部固定部材１０に固定される。カム部材７５のスライダ側（第一スライダ側４０側）の面は、カム面として構成され、第一スライダ４０のカム当接部４２に当接する。
なお、カム部材７５は、ピン状のものに限定されるものではなく、板状の部材を折り曲げて構成すること等、他の構成とすることもできる。
【００４６】
カム部材７５を下部固定部材１０に取付け、第二ウイング部材を閉状態とした際には、第一スライダ４０のカム当接部４２がカム部材７５に当接するとともに、第二スライダ５０のカム当接部５２が受圧部７３に当接する。その結果として、バネ部材６０に生じる弾性力により、中間部材２０（第二ウイング部材）は下部固定部材１０に対して開く方向に回動するように付勢され、上部固定部材３０は中間部材２０に対して閉じる方向に回動するように付勢される。この際、ダンパー６２の先端部は第二スライダ５０の底部によって押圧され、ダンパー６２の本体部側に押し込まれる。
また、第二ウイング部材を開状態とした際においても、第一スライダ４０のカム当接部４２がカム部材７５に当接するとともに、第二スライダ５０のカム当接部５２が受圧部７３に当接する。その結果として、バネ部材６０に生じる弾性力により、中間部材２０（第二ウイング部材）は下部固定部材１０に対して開く方向に回動するように付勢され、上部固定部材３０は中間部材２０に対して閉じる方向に回動するように付勢される。
また、第二ウイング部材を全開状態とした際においても、第一スライダ４０のカム当接部４２がカム部材７５に当接するとともに、第二スライダ５０のカム当接部５２が受圧部７３に当接する。その結果として、バネ部材６０に生じる弾性力により、中間部材２０（第二ウイング部材）は下部固定部材１０に対して開く方向に回動するように付勢され、上部固定部材３０は中間部材２０に対して閉じる方向に回動するように付勢される。
即ち、図４から図６に示すように、第一スライダ４０のカム当接部４２は、第二ウイング部材の回動角度θによらず、第二ウイング部材の閉状態から全開状態まで、カム部材７５に当接するように構成される。第二ウイング部材の閉状態から全開状態（第二ウイング部材の閉状態、開状態、及び全開状態）において、第一スライダ４０のカム当接部４２がカム部材７５に当接するとともに、第二スライダ５０のカム当接部５２が受圧部７３に当接する。バネ部材６０に生じる弾性力により、中間部材２０（第二ウイング部材）は下部固定部材１０に対して開く方向に回動するように付勢され、上部固定部材３０は中間部材２０に対して閉じる方向に回動するように付勢される。
【００４７】
以上のように、第二ウイング部材の閉状態から全開状態まで、第一スライダ４０のカム当接部４２がカム部材７５に当接するように構成されて、バネ部材６０により第二ウイング部材の閉状態から全開状態まで第二ウイング部材が第一ウイング部材に対して開く方向に回動するように付勢されることから、バネ部材６０の困難な付勢力の調整を要さないものとすることができ、また、バネ部材６０によって第二ウイング部材が第一ウイング部材に対して開く方向に回動するように付勢するものを簡易な構成とすることができる。
【００４８】
図２から図４に示すように、原稿圧着板３（第二連結対象物）は、カバー４を備える。
カバー４は、原稿圧着板３の側壁及び上側壁を構成する部材であって、フレームやボルト等の固定具によって固定される。カバー４は、切欠き部５を後部に備える。切欠き部５は、カバー４の後端部において下方に開放するように形成される。
カバー４内には固定フレーム等が配置され、固定フレームにヒンジ１００の上部固定部材３０がボルト等の固定具によって固定されることによって、ヒンジ１００が原稿圧着板３（第二連結対象物）に固定される。ヒンジ１００は、原稿圧着板３カバー４の内部に配置されて、カバー４の切欠き部５よりも前方に配置される。ヒンジ１００は、背面視でカバー４の切欠き部５から露出するように構成される。
【００４９】
図３、図４、図９から図１１、または図１４に示すように、下部固定部材１０に対して中間部材２０が開いた状態（例えば、下部固定部材１０に対して中間部材２０が２０度開いた状態）で、且つ、中間部材２０に対して上部固定部材３０が開いた状態（例えば、上部固定部材３０が下部固定部材１０に対して０度の状態）とすることができる。このような状態とすることによって、複合機１の本体２に対して原稿圧着板３を持ち上げた状態にして、本体２（本体２の上端のコンタクトガラス）と原稿圧着板３との間に比較的分厚い原稿を配置することができ、また、メンテナンスや点検等を行い易くする。
以下において、中間部材２０に対して上部固定部材３０が開いた状態を便宜上「リフト状態」とし、また、中間部材２０に対して上部固定部材３０が閉じた状態（中間部材２０と上部固定部材３０とが最も近接した状態）を便宜上「リフト解消状態」として説明する。
【００５０】
図２、図５から図８、図１２、または図１３に示すように、リフト解消状態において、上部固定部材３０は、中間部材２０の外側を覆うように配置される。即ち、上部固定部材３０の天板３１は、中間部材２０の天板２１の上方に配置され、上部固定部材３０の側板３２・３２は、中間部材２０の側板２２・２２の左右外側に配置される。
また、リフト解消状態において、中間部材２０の天板２１と上部固定部材３０の天板３１との間には所定の空間が形成される。当該空間は、後述する異物挟み防止部９０の遮蔽部材９１を収納する収納部９５として構成される。
【００５１】
図２から図１４に示すように、異物挟み防止部９０は、リフト状態において、中間部材２０及び上部固定部材３０の外側（ヒンジ１００の後方外側）から、中間部材２０と上部固定部材３０との間に異物（例えば工具や衣服や手指等）が入り込んで挟まることを防止する。
異物挟み防止部９０は、遮蔽部材９１を備える。
【００５２】
異物挟み防止部９０の遮蔽部材９１は、一枚の金属素材からなる板状の部材である。遮蔽部材９１の左右幅は、中間部材２０または上部固定部材３０の左右幅と略同一に構成される。
遮蔽部材９１は、第二ウイング部材の閉状態、第二ウイング部材の開状態、また、リフト状態において、上部固定部材３０における第二回動軸７２が配置される側と反対側の端部（上部固定部材３０の後端部）の外側から下方に垂れ下がるようにして、上部固定部材３０の後端部の外側から中間部材２０における第二回動軸７２が配置される側と反対側の端部（下部固定部材１０の後上部または中間部材２０の後端部）の外側に亘って配置される。このようにして、遮蔽部材９１は、リフト状態において、中間部材２０及び上部固定部材３０の後方外側から見えないようにして、外側との空間を遮蔽するように構成される。また、リフト状態において、遮蔽部材９１は、中間部材２０の天板２１の上方から中間部材２０の後端部に亘って配置される。
【００５３】
遮蔽部材９１は、その一端部（上端部）が上部固定部材３０に支持されて、回動可能に構成される。遮蔽部材９１は、リフト状態において、中間部材２０及び上部固定部材３０の後方外側から見えないように外側との空間を遮蔽した状態（上部固定部材３０の後端部の外側から中間部材２０における第二回動軸７２が配置される側と反対側の端部に亘って配置された状態）が保持されるように（開かないように）構成される。
【００５４】
以上のように、異物挟み防止部９０における遮蔽部材９１は、リフト状態において、上部固定部材３０における第二回動軸７２が配置される側と反対側の端部（上部固定部材３０の後端部）の外側から上部固定部材３０の後端部の外側から中間部材２０における第二回動軸７２が配置される側と反対側の端部（中間部材２０の後端部）の外側に亘って配置されることから、異物挟み防止部９０は、リフト状態において、中間部材２０及び上部固定部材３０の外側から、中間部材２０と上部固定部材３０との間に異物（例えば工具や衣服や手指等）が入り込んで挟まることを防止することができる。
【００５５】
また以上のように、異物挟み防止部９０の遮蔽部材９１は、リフト状態において、上部固定部材３０の後端部の外側から中間部材２０における第二回動軸７２が配置される側と反対側の端部に亘って配置された状態が保持されるように構成されることから、中間部材２０と上部固定部材３０の後方外側から異物が入り込んでしまう状態となることを防止することができる。
【００５６】
以上のように、異物挟み防止部９０の遮蔽部材９１は板状の部材であることから、例えば遮蔽部材９１がフィルム等の軟質素材やすだれ状のものように容易に変形するも構成のものように、リフト状態において、異物によって容易に押込まれて当該異物が入り込むことを防止することができる。
【００５７】
異物挟み防止部９０の遮蔽部材９１は、左右一対の突出片９２・９２と、左右一対の留め部９４・９４と、を備える。
【００５８】
異物挟み防止部９０の遮蔽部材９１の一対の突出片９２は、遮蔽部材９１における上端部の前面の左右縁部からそれぞれ前方に突出する平板状に構成される。突出片９２には、左右方向外側に突出する略円柱状の凸部９３が設けられる。
上部固定部材３０は、遮蔽部材９１を回動可能に支持する一対の支持部３３・３３を備える。上部固定部材３０の支持部３３は、側板３２に連接されて、側板３２の後端部からそれぞれ後方に突出する平板状に構成される。支持部３３は、天板３１よりも上方に位置するようにその後部が上方に突出して、側面視略Ｌ字状に構成される。支持部３３には、その天板３１よりも上方の位置に貫通孔が形成される。
前記上部固定部材３０の支持部３３の貫通孔には遮蔽部材９１の凸部９３が挿通されて、遮蔽部材９１の一端部（上端部）が上部固定部材３０に支持されて、遮蔽部材９１は上部固定部材３０に対して回動可能に構成される。遮蔽部材９１の凸部９３は、遮蔽部材９１が上部固定部材３０に対して回動する際の回動軸心として構成される。
【００５９】
異物挟み防止部９０の遮蔽部材９１の留め部９４は、上部固定部材３０の後端部の外側から中間部材２０における第二回動軸７２が配置される側と反対側の端部に亘って配置された状態が保持されるように遮蔽部材９１を留める。遮蔽部材９１の一対の留め部９４・９４は、遮蔽部材９１における他端部（下端部）の前面の左部及び右部からそれぞれ前方に突出し、当該突出側端部（前部）が左右方向外側に突出して構成される。遮蔽部材９１の留め部９４は、突出側端部（前部）が左右方向外側に突出する部分において前記下部固定部材１０の突出部１４に引っ掛かるように構成される。
下部固定部材１０は、遮蔽部材９１の一対の留め部９４・９４がそれぞれ引っ掛かるように構成される一対の突出部１４・１４を備える。下部固定部材１０の突出部１４は、側板１２に連接されて、側板１０の後端部から左右方向内側に突出する平板状に構成される。下部固定部材１０の突出部１４は、遮蔽部材９１の留め部９４（突出側端部の後方部分）の外側に位置し、遮蔽部材９１の留め部９４と当接する。遮蔽部材９１の留め部９４の突出側端部の外側に突出する部分は、下部固定部材１０の突出部１４の前方に位置し、遮蔽部材９１の留め部９４の前面に当接する。下部固定部材１０の突出部１４は、下部固定部材１０の下端部近傍から第一回動軸７１の上方に亘って配置される。
異物挟み防止部９０の遮蔽部材９１は、第二ウイング部材の閉状態、第二ウイング部材の開状態、また、リフト状態において、遮蔽部材９１の留め部９４が下部固定部材１０の突出部１４に引っ掛かるようにして、上部固定部材３０の後端部の外側から中間部材２０における第二回動軸７２が配置される側と反対側の端部に亘って配置された状態が保持される。
【００６０】
以上のように、異物挟み防止部９０の遮蔽部材９１は、第二ウイング部材の閉状態、第二ウイング部材の開状態、また、リフト状態において、遮蔽部材９１の留め部９４が下部固定部材１０の突出部１４に引っ掛かるようにして、上部固定部材３０の後端部の外側から中間部材２０における第二回動軸７２が配置される側と反対側の端部に亘って配置された状態が保持されることから、ヒンジ１の後方外側から異物が入り込んでしまう状態となることを防止することができる。
【００６１】
以上のように、異物挟み防止部９０の遮蔽部材９１の留め部９４は、遮蔽部材９１の内側の面から突出し、当該突出側端部が左右方向外側に突出して構成されて、前記突出側端部の外側に突出する部分において、前記下部固定部材１０に引っ掛かるように構成されることから、簡易な構成で遮蔽部材９１が固定部材３０の後端部の外側から中間部材２０における第二回動軸７２が配置される側と反対側の端部に亘って配置された状態が保持されるものとすることができる。
【００６２】
以上のように、下部固定部材１０の突出部１４は、異物挟み防止部９０の遮蔽部材９１の留め部９４が引っ掛かるように構成されるものであり、下部固定部材１０の下端部近傍から第一回動軸７１の上方に亘って配置されることから、簡易な構成で遮蔽部材９１が固定部材３０の後端部の外側から中間部材２０における第二回動軸７２が配置される側と反対側の端部に亘って配置された状態が保持されるものとすることができる。
【００６３】
下部固定部材１０の突出部１４は、側板１１の上端からさらに上方に突出するように構成される。下部固定部材１０の突出部１４は、その上端部に左右方向内側に突出するように構成されるストッパ１５を備える。下部固定部材１０のストッパ１５は、中間部材２０に対して上部固定部材１０が開く方向に開度してリフト状態とされるときに、リフト状態において、異物挟み防止部９０の遮蔽部材９１の留め部９４が当接して、遮蔽部材９１の留め部９４が下部固定部材１０の突出部１４に引っ掛かった状態から脱落することを防止する。
【００６４】
以上のように、下部固定部材１０の突出部１４のストッパ１５は、中間部材２０に対して上部固定部材１０が開く方向に開度してリフト状態とされるときに異物挟み防止部９０の遮蔽部材９１の留め部９４が当接して、遮蔽部材９１の留め部９４が下部固定部材１０の突出部１４に引っ掛かった状態から脱落することを防止することから、簡易な構成で遮蔽部材９１が固定部材３０の後端部の外側から中間部材２０における第二回動軸７２が配置される側と反対側の端部に亘って配置された状態が保持されるものとすることができる。
【００６５】
また、異物挟み防止部９０の遮蔽部材９１の留め部９４は、遮蔽部材９１の左右から突出しないように構成される。このため、遮蔽部材９１が部固定部材３０の後端部の外側から中間部材２０における第二回動軸７２が配置される側と反対側の端部に亘って配置された状態が保持されるものとすることができる。
【００６６】
異物挟み防止部９０の遮蔽部材９１の上端位置は、第二ウイング部材の閉状態、第二ウイング部材の開状態、また、リフト状態において、遮蔽部材９１が上部固定部材３０に対して回動する際の回動軸心（遮蔽部材９１の凸部９３）よりも上方に位置するように構成される。このため、遮蔽部材９１の上端位置を原稿圧着板３（第二連結対象物）のカバー４の切欠き５の上端により近接させた状態とすることができ、原稿圧着板３（第二連結対象物）のカバー４の切欠き５内に異物が入り込むことをより確実に防止することができる。
【００６７】
異物挟み防止部９０の遮蔽部材９１は、第二ウイング部材の開状態、また、リフト状態において、上後下前に傾斜（遮蔽部材９１の上部が中間部材２０が配置される側と反対方向に傾斜）するように構成される。
このため、遮蔽部材９１の上端位置を原稿圧着板３（第二連結対象物）のカバー４の切欠き５の上端により近接させた状態として、原稿圧着板３のカバー４の切欠き部５を遮蔽するようにして、原稿圧着板３（第二連結対象物）のカバー４の切欠き５内に異物が入り込むことをより確実に防止することができる。
【００６８】
異物挟み防止部９０の遮蔽部材９１は、その前面縁部（内側の面）の少なくとも一部において、前方に若干突出する凸条部９５を備える。遮蔽部材９１の凸条部９５は、遮蔽部材９１の前面の上縁部、及び、左右縁部に設けられる。遮蔽部材９１の凸条部９５は、ヒンジ１００の内部の露出する部分を極力低減させるものであり、このように構成されることによってヒンジ１００を比較的難燃性の高い構成とすることができる。
【００６９】
異物挟み防止部９０の遮蔽部材９１は、下部固定部材１０の左右幅よりも大きく構成され、下方に行くに従って末広がりとなる略錐台状に形成される。このように、遮蔽部材９１は、下方に行くに従って末広がりとなるように構成されて遮蔽部材９１の形状を原稿圧着板３（第二連結対象物）のカバー４の切欠き５の形状により沿ったものとすることで、原稿圧着板３（第二連結対象物）のカバー４の切欠き５内に異物が入り込むことをより確実に防止することができる。
【００７０】
図１２から図１７に示すように、ヒンジ１００は、仕切部材８０と、付勢部材８５と、を備える。
【００７１】
仕切部材８０は、下部固定部材１０（第一ウイング部材）内に配置され、下部固定部材１０内の空間を上下に仕切るように構成される。仕切部材８０は、カム部材７５及び第一回動軸７１が下方（第一ウイング部材と反対側）から見て露出しないように（下方から見えないように）構成される。
仕切部材８０は、一枚の金属板に適宜折り曲げ加工を施すことにより構成される。仕切部材８０は、左右一対の側板部８１・８１と、側板部８１・８１に連接される仕切部８２と、を備える。仕切部材８０の側板部８１と仕切り部７８とはそれぞれ平板状に構成される。左右一対の側板部８１・８１は、仕切部材７８の左端部または右端部からそれぞれ上方に突出するように構成される。仕切部材８０は、正面視で略Ｕ字状に構成される。
【００７２】
仕切部材８０の一対の側板部８１・８１は、下部固定部材１０の一対の側板１１・１１の内側において一対の側板１１・１１に近接するようにそれぞれ配置される。仕切部材８０の側板部８１の前部には、カム部材７５を挿通するための貫通孔が開口され、仕切部材８０の側板部８１の後部には、第一回動軸７１を挿通するための貫通孔が開口される。仕切部材８０は、側板部８１の前部の貫通孔にカム部材７５が挿通され、側板部８１の後部の貫通孔に第一回動軸７１が挿通されて、下部固定部材１０（下部固定部材１０内）に固定される。
【００７３】
仕切部材８０の仕切部８２は、カム部材７５（カム部材７５の下部）から下部固定部材１０の背板１３（第一回動軸７１の下方）に亘るように配置される。また、仕切部材８０の仕切部８２は、下部固定部材１０の左右の側板１１・１１に亘って配置されて、一対の側板部８１・８１（側板部８１・８１の下部）を連結するように構成される。仕切部材８０の仕切部８２は、下部固定部材１０に取付けられた状態で、カム部材７５及び第一回動軸７１の下方に配置される。仕切部材８０の仕切部８２は、下部固定部材１０内において、カム部材７５及び第一回動軸７１が配置される側（上方側）とカム部材７５及び第一回動軸７１が配置される側と反対側（下方側）とを仕切る。カム部材７５及び第一回動軸７１が下方（第一ウイング部材と反対側）から見て露出しないように、カム部材７５及び第一回動軸７１等の下方に配置される。
【００７４】
このように、仕切部材８０の仕切部８２は、下部固定部材１０内に配置され、カム部材７５及び第一回動軸７１が下方（下部固定部材１０の底板１１側）から見て露出しないように構成される。
このため、ヒンジ１００の内部の露出する部分を低減させて、ヒンジ１００を比較的難燃性の高い構成とすることができる。
【００７５】
第二ウイング部材の第一ウイング部材に対する閉状態からの回動角度θが０°から所定の角度である保持角度φまでの所定の領域にある状態（０度≦θ≦φの状態）、即ち、複合機１の本体２に対する原稿圧着板３の回動角度θが０°から保持角度φまでの範囲においては、作業者が原稿圧着板３から手を離した場合には第二ウイング部材の回動角度θが保持される。例えば、保持角度φは６０°（回動角度θ＝保持角度φ＝６０°）に設定されている。なお、保持角度φは６０°以外の他の角度に設定することも可能である。
【００７６】
付勢部材８５は、仕切部材８０に取付けられて、下部固定部材１０（第一ウイング部材）内に配置される。
付勢部材８５は、第二ウイング部材の回動角度θが保持される保持角度φ（回動角度θ＝６０°）近傍において、カム部材７５に当接する。
付勢部材８５は、カム部材７５に当接することによって、バネ部材６０によって開く方向に回動するように付勢される第二ウイング部材に対して第二ウイング部材を閉じる方向に付勢して、上部固定部材３０に固定された原稿圧着板３（第二連結対象物）の自重に起因して第二ウイング部材を閉じようとする回転力と、バネ部材６０の付勢力に起因して第二ウイング部材を開こうとする回転力と、が概ね平衡した状態を保持する。
付勢部材８５は、閉状態においては、カム部材７５に当接せず、第二ウイング部材を閉じる方向に付勢しない。付勢部材８５は、第二ウイング部材が閉状態から開く方向に回動して、回動角度θが保持される保持角度φ（回動角度θ＝６０°）近傍になると、カム部材７５に当接して、第二ウイング部材を閉じる方向に付勢する。付勢部材８５は、第二ウイング部材の回動角度θが保持角度φから全開状態にわたって、カム部材７５に当接して、第二ウイング部材を閉じる方向に付勢する。
【００７７】
第一スライダ４０のカム当接部４２またはカム部材７５のカム面の形状等は、付勢部材８５がカム部材７５に当接した状態において、上部固定部材３０に固定された原稿圧着板３の自重に起因して第二ウイング部材を閉じようとする回転力と、バネ部材６０の付勢力に起因して第二ウイング部材を開こうとする回転力と、が概ね平衡するように、予め定められる。
【００７８】
以上のように、付勢部材８５が、第二ウイング部材の回動角度θが保持される保持角度φ近傍において、カム部材７５に当接することによって、バネ部材６０によって開く方向に回動するように付勢される第二ウイング部材に対して第二ウイング部材を閉じる方向に付勢して、上部固定部材３０（第二ウイング部材）に固定された原稿圧着板３（第二連結対象物）の自重に起因して第二ウイング部材を閉じようとする回転力と、バネ部材６０の付勢力に起因して第二ウイング部材を開こうとする回転力と、が概ね平衡した状態を保持する。
このため、ヒンジ１００では、第二ウイング部材に固定された第二連結対象物の自重に起因して第二ウイング部材を閉じようとする回転力と、バネ部材６０の付勢力に起因して第二ウイング部材を開こうとする回転力と、が概ね平衡した状態とを保持された状態を安定させることができる。
【００７９】
また、付勢部材８５は、第二ウイング部材の回動角度θが保持角度φから全開状態にわたって、カム部材７５に当接することによって、バネ部材６０によって開く方向に回動するように付勢される第二ウイング部材に対して第二ウイング部材を閉じる方向に付勢して、上部固定部材３０（第二ウイング部材）に固定された原稿圧着板３（第二連結対象物）の自重に起因して第二ウイング部材を閉じようとする回転力と、バネ部材６０の付勢力に起因して第二ウイング部材を開こうとする回転力と、が概ね平衡した状態を保持する。
このため、ヒンジ１００では、第二ウイング部材の回動角度θが保持角度φから全開状態にわたって、第二ウイング部材に固定された第二連結対象物の自重に起因して第二ウイング部材を閉じようとする回転力と、バネ部材６０の付勢力に起因して第二ウイング部材を開こうとする回転力と、が概ね平衡した状態とを保持された状態を安定させることができる。
【００８０】
なお、付勢部材８５は、第二ウイング部材の回動角度θが閉状態から保持角度φにわたって、第二ウイング部材を閉じる方向に付勢して、上部固定部材３０（第二ウイング部材）に固定された原稿圧着板３（第二連結対象物）の自重に起因して第二ウイング部材を閉じようとする回転力と、バネ部材６０の付勢力に起因して第二ウイング部材を開こうとする回転力と、が概ね平衡した状態を保持する構成とすることもできる。
また、付勢部材８５は、第二ウイング部材の回動角度θが閉状態から全開状態にわたって、第二ウイング部材を閉じる方向に付勢して、上部固定部材３０（第二ウイング部材）に固定された原稿圧着板３（第二連結対象物）の自重に起因して第二ウイング部材を閉じようとする回転力と、バネ部材６０の付勢力に起因して第二ウイング部材を開こうとする回転力と、が概ね平衡した状態を保持する構成とすることもできる。
【００８１】
付勢部材８５は、一枚の金属素材からなる板状の部材に適宜折り曲げ加工を施すことにより構成される。付勢部材８５は、当接部８６と、凸部８７と、を備える。
付勢部材８５は、上端から前下に傾斜する部分と、当該前下に傾斜する部分の下端から折り曲げられて後下に傾斜するように延出する部分と、当該後下に傾斜する部分の下端から折り曲げられて前方に延出する部分と、当該前方に延出する部分の前端から折り曲げられて上方に延出する部分と、で構成される。
【００８２】
付勢部材８５における前記上端から前下に傾斜する部分は、当接部８６として構成される。付勢部材８５が仕切部材８０に取付けられて下部固定部材１０内に配置された状態では、付勢部材８５の当接部８６の後下面は、第一回動軸７１に当接した状態とされる。また、付勢部材８５の当接部８６（当接部８６の後下面）が第一回動軸７１に当接した状態において、付勢部材８５の当接部８６の前上面は、第二ウイング部材を閉じる方向に付勢する際にカム部材７５に当接する。
付勢部材８５は、弾性変形可能に構成される。付勢部材８５は、前記前下に傾斜する部分の下端から折り曲げられ、前記後下に傾斜する部分の下端から折り曲げられて構成されること（金属板に折り曲げ加工を施すこと）によって、カム部材７５に当接したときに第二ウイング部材を閉じる方向に付勢する付勢力が生じるように構成される。即ち、付勢部材８５における前記上端から前下に傾斜する部分（当接部８６）および前下に傾斜する部分の下端から折り曲げられて後下に傾斜するように延出する部分が板バネとして構成される。
【００８３】
以上のように、付勢部材８５が板状の部材に適宜折り曲げ加工を施すことにより構成されることから、付勢部材８５における前記上端から前下に傾斜する部分（当接部８６）の傾斜角度や、当該前下に傾斜する部分の下端から折り曲げられて後下に傾斜するように延出する部分の傾斜角度等の変更（微調整）を容易に行うことができる。このため、上部固定部材３０（第二ウイング部材）に固定された原稿圧着板３（第二連結対象物）の自重に起因して第二ウイング部材を閉じようとする回転力と、バネ部材６０の付勢力に起因して第二ウイング部材を開こうとする回転力と、が概ね平衡した状態を保持した状態の調整を、容易に行うことができる。
【００８４】
付勢部材８５は、仕切部材８０に着脱可能に構成され、仕切部材８０を介して下部固定部材１０（第一ウイング部材）内に設けられる。付勢部材８５は、固定具８９によって仕切部材８０を介して下部固定部材１０（第一ウイング部材）内に設けられる。
固定具８９は、ビスであり、胴部と頭部とを備える。固定具８９の頭部は、付勢部材８５の取付作業時に操作される操作部８９ａとして構成される。
【００８５】
付勢部材８５における後下に傾斜する部分の下端から折り曲げられて前方に延出する部分には、左右一対の貫通孔が設けられる。仕切部材８０における仕切部８２には、左右一対の貫通孔が設けられる。付勢部材８５における後下に傾斜する部分の下端から折り曲げられて前方に延出する部分を仕切部材８０における仕切部８２の上方に配置して、付勢部材８５の貫通孔と仕切部材８０の貫通孔とを一致させた状態で、当該付勢部材８５の貫通孔及び仕切部材８０の貫通孔に固定具８９の胴部を挿通させる。そして、ドライバ等の工具を用いて固定具８９の頭部（操作部８９ａ）を操作することによって付勢部材８５は仕切部材８０に取付けられる。また、ドライバ等の工具を用いて固定具８９の頭部（操作部８９ａ）を操作することによって固定具８９を取り外すことによって、付勢部材８５は仕切部材８０から取外される。
【００８６】
以上のように、付勢部材８５が着脱可能に構成されることから、上部固定部材３０（第二ウイング部材）に固定された原稿圧着板３（第二連結対象物）の自重に起因して第二ウイング部材を閉じようとする回転力と、バネ部材６０の付勢力に起因して第二ウイング部材を開こうとする回転力と、が概ね平衡した状態とを保持した状態を調整する場合には、付勢部材８５を仕切部材８０から取外して、当該付勢部材８５の当接部８６の傾斜角度や前記前下に傾斜する部分の下端から折り曲げられて後下に傾斜するように延出する部の傾斜角度を変更させ、また、当該付勢部材８５を所望の付勢力を備えるものに取替る等によって、行うことができる。
このため、上部固定部材３０（第二ウイング部材）に固定された原稿圧着板３（第二連結対象物）の自重に起因して第二ウイング部材を閉じようとする回転力と、バネ部材６０の付勢力に起因して第二ウイング部材を開こうとする回転力と、が概ね平衡した状態とを保持した状態の調整する作業を、容易に行うことができる。
【００８７】
また、付勢部材８５を仕切部材８０に取付けている固定具８９であるビスの頭部（固定具８９の操作部８９ａ）は、仕切部材８０の仕切部８２の下方に位置し、少なくとも第二ウイング部材の全開状態においては下方に露出した状態とされている。このため、第二ウイング部材を全開状態にして、ヒンジ１００の他の部材を取外すことを要さずに、付勢部材８５の仕切部材８０に対する着脱させる作業を容易に行うことができる。したがって、上部固定部材３０（第二ウイング部材）に固定された原稿圧着板３（第二連結対象物）の自重に起因して第二ウイング部材を閉じようとする回転力と、バネ部材６０の付勢力に起因して第二ウイング部材を開こうとする回転力と、が概ね平衡した状態とを保持した状態の調整する作業を、より容易に行うことができる。
【００８８】
付勢部材８５における前記前方に延出する部分の前端から折り曲げられて上方に延出する部分は、凸部８７として構成される。
仕切部材８０は、位置決め部８３を備える。仕切部材８０の位置決め部８３は、仕切部８２の前端左右中央部から上方に突出するように構成される。
付勢部材８５における後下に傾斜する部分の下端から折り曲げられて前方に延出する部分を仕切部材８０における仕切部８２の上方に配置して、付勢部材８５の凸部８７の前面と仕切部材８０の位置決め部８３の後面とを当接させた状態では、付勢部材８５の貫通孔と仕切部材８０の貫通孔とが一致した状態とされる。
付勢部材８５を仕切部材８０に取付ける際には、このように付勢部材８５の凸部８７の前面と仕切部材８０の位置決め部８３の後面とを当接させた状態とすることによって、容易に付勢部材８５の貫通孔と仕切部材８０の貫通孔とが一致した状態とすることができる。
このため、付勢部材８５を仕切部材８０に取付ける作業を比較的容易に行うことができる。
【００８９】
第一スライダ４０は、窪み部４３を備える。第一スライダ４０のカム当接部４３の一部が凹状に形成される。前記第一スライダ４０のカム当接部４３の一部が凹状に形成される部分は、窪み部４３として構成される。第一スライダ４０の窪み部４３は、カム当接部４３の上面の前後中途部に形成される。第一スライダ４０の窪み部４３は、第一スライダ４０の左端から右端に亘って筋状に構成される。
ここで、付勢部材８５における、上端から前下に傾斜する部分（当接部８６）と、当該前下に傾斜する部分の下端から折り曲げられて後下に傾斜するように延出する部分と、が連接されて構成されることから、当該部分が側面視略Ｖ字状に構成される。付勢部材８５における、上端から前下に傾斜する部分（当接部８６）と、当該前下に傾斜する部分の下端から折り曲げられて後下に傾斜するように延出する部分との境界部分は、その前方（第一スライダ４０側）が山状に構成されて、前方に突出するように構成され、突出部８８として構成される。
第一スライダ４０の窪み部４３は、付勢部材８５の突出部８８の前面の形状と概ね一致するように構成される。
【００９０】
第二ウイング部材の第一ウイング部材に対する回動角度θが所定の角度にあるとき、即ち、複合機１の本体２に対する原稿圧着板３の回動角度θが前記所定の角度にあるとき、第一スライダ４０の窪み部４３に付勢部材８５の突出部８８が当接して入り込んだ状態となり、第二ウイング部材の第一ウイング部材に対する回動姿勢が保持された状態となる。第一スライダ４０の窪み部４３に付勢部材８５の突出部８８が入り込む際に、また、第一スライダ４０の窪み部４３に付勢部材８５の突出部８８が脱落する際に、クリック感が生じる。
例えば、第一スライダ４０の窪み部４３に付勢部材８５の突出部８８が当接して入り込んだ状態となるときの第二ウイング部材の第一ウイング部材に対する回動角度は、回動角度θ＝９０°（全開状態）に設定されてる。なお、第一スライダ４０の窪み部４３に付勢部材８５の突出部８８が当接して入り込んだ状態となるときの第二ウイング部材の第一ウイング部材に対する回動角度は、９０°以外の他の角度に設定することも可能である。
【００９１】
以上のように、第二ウイング部材の第一ウイング部材に対する回動角度θが所定の角度にあるとき、第一スライダ４０の窪み部４３に付勢部材８５の突出部８８が当接して入り込んだ状態となり、第二ウイング部材の第一ウイング部材に対する回動姿勢が保持された状態となる。
このため、第二ウイング部材の第一ウイング部材に対する回動角度θが所定の角度にあるとき、簡易な構成で、バネ部材６０および付勢部材８５の付勢力にかかわらず第二ウイング部材の第一ウイング部材に対する回動姿勢が保持された状態とすることができる。
なお、第一スライダ４０が窪み部４３に代えて付勢部材８５側に突出する突出部を備え、且つ、付勢部材８５が突出部８８に代えて前記第一スライダ４０の突出部の外面の形状と概ね一致する窪み部を備えて、第二ウイング部材の第一ウイング部材に対する回動角度θが所定の角度にあるとき、第一スライダ４０の突出部が付勢部材８５の窪み部に当接して入り込んだ状態となり、第二ウイング部材の第一ウイング部材に対する回動姿勢が保持された状態となる構成とすることもできる。
【００９２】
図５から図１４に示すように、フェンス部材７６は、カム部材７５の近傍において、カム部材７５及び第一スライダ４０のカム当接部４２の下方（第二ウイング部材の開状態ではカム部材７５と第一スライダ４０の当接部分の前方）に配置される。フェンス部材７６は、中間部材２０の閉状態から全開状態まで（中間部材２０の回動範囲の全域に亘って）、第一スライダ４０及びカム部材７５の外側から、第一スライダ４０のカム当接部４２とカム部材７５との当接部分側に異物（例えば原稿等）が入り込むことを防止する。フェンス部材７６は、カム部材７５（第一スライダ４０のカム当接部４２とカム部材７５との当接部分）を下方外側または前方外側等から見えないようにして、外側との空間を遮蔽するように構成される。
フェンス部材７６は、第一スライダ４０（カム当接部４２）にぶら下がるように（回動可能に）支持される。フェンス部材７６は、中間部材２０の回動動作または第一スライダ４０の移動動作とともに移動可能に構成される。
【００９３】
このように、フェンス部材７６は、第一スライダ４０にぶら下がるように支持されて、カム部材７５近傍においてカム部材７５及び第一スライダ４０のカム当接部４２との下方（第二ウイング部材の開状態ではカム部材７５と第一スライダ４０の当接部分の前方）に配置され、第一スライダ４０及びカム部材７５の外側から、第一スライダ４０のカム当接部４２とカム部材７５との当接部分側に異物（例えば原稿等）が入り込むことを防止することから、第二ウイング部材の閉状態から開状態まで、例えば、本体２の上面に配置された原稿が第一スライダ４０のカム当接部４２とカム部材７５との当接部分側に入り込んで、当該原稿にオイルが付着すること等を確実に防止することができる。
また、フェンス部材７６は、第一スライダ４０のカム当接部４２とカム部材７５との当接部分外側から見えないようにして外側との空間を遮蔽するように構成されることから、樹脂素材等で構成される部材（第一スライダ４０等）の露出する部分を低減させて、ヒンジ１００を比較的難燃性の高い構成とすることができる。
【００９４】
ヒンジ１００は、カバー部材７７を備える。
カバー部材７７は、一枚の金属板を適宜折り曲げることにより、前板、下板、及び一対の側板を備えるように形成される部材であり、第二スライダ５０に固定して設けられる。
カバー部材７７は、第二ウイング部材の内部が露出しないように（外側から見えないように）構成される。カバー部材７７は、第一スライダ４０、第二スライダ５０、バネ部材６０、ダンパー６２等が露出しないように、中間部材２０の前方の開口および下方の開口（第二ウイング部材の底面側）を覆うように構成される。カバー部材７７の前板は第一スライダ４０の前方に配置され、カバー部材７７の一対の側板は中間部材２０の側板２１・２１の左右外側に配置される。カバー部材７７の下板は、中間部材２０の下方の開口の下方、第一スライダ４０のカム当接部４２とカム部材７５との当接部分の下方、また、フェンス部材７６の下方に配置される。
【００９５】
このように、カバー部材７７を備え、第二ウイング部材の内部が露出しないように中間部材２０の下方の開口等を覆うことから、ヒンジ１００の内部の樹脂素材等で構成される部材（第一スライダ４０等）の露出する部分を低減させて、ヒンジ１００を比較的難燃性の高い構成とすることができる。
【００９６】
また、異物挟み防止部９０の遮蔽部材９１を比較的難燃性の高い素材で構成することもできる。このように構成することによって、ヒンジ１００を比較的難燃性の高い構成とすることができる。
【符号の説明】
【００９７】
１      複合機
２      本体
３      原稿圧着板
４      カバー
５      切欠き部
１０    下部固定部材
１２    側板
１４    突出部
１５    ストッパ
２０    中間部材
３０    上部固定部材
３３    支持部
４０    第一スライダ
４１    本体
４２    カム当接部
５０    第二スライダ
６０    バネ部材
７１    第一回動軸
７２    第二回動軸
７３    受圧部
７５    カム部材
７６    フェンス部材
７７    カバー部材
８０    仕切部材
８１    側板部
８２    仕切部
８３    位置決め部
８５    付勢部材
８６    当接部
８７    凸部
８８    突出部
８９    固定具
９０    異物挟み防止部
９１    遮蔽部材
９２    突出片
９３    凸部
９４    留め部
９５    凸条部
１００  ヒンジ
【図１】
0003232257.tif 000003
【図２】
0003232257.tif 000004
【図３】
0003232257.tif 000005
【図４】
0003232257.tif 000006
【図５】
0003232257.tif 000007
【図６】
0003232257.tif 000008
【図７】
0003232257.tif 000009
【図８】
0003232257.tif 000010
【図９】
0003232257.tif 000011
【図１０】
0003232257.tif 000012
【図１１】
0003232257.tif 000013
【図１２】
0003232257.tif 000014
【図１３】
0003232257.tif 000015
【図１４】
0003232257.tif 000016
【図１５】
0003232257.tif 000017
【図１６】
0003232257.tif 000018
【図１７】
0003232257.tif 000019